(57)【特許請求の範囲】
【請求項１】
下方へ向かって凹状に洗面ボウルを備えたカウンターにおいて、
該カウンターの上面を前側に向かって下り勾配に傾斜させ、該カウンターの上面の前記洗面ボウルよりも前方に堰を設けるとともに、前記洗面ボウル内の後方側であって後方側へ下傾状をなす立ち面に自動水栓の吐水口を取り付け、
かつ、前記立ち面は、その下端から後方へ向かって凹状をなすように凹状空間が連続していることを特徴とする洗面ボウル付きカウンター。
【請求項２】
前記堰は、前記洗面ボウルに向かって水を誘導する形状に形成されていることを特徴とする請求項１に記載の洗面ボウル付きカウンター。
【請求項３】
前記カウンターの前端下面に下向きに取り付けられる前板を、前記カウンターの上面に対し９０°の角度で取り付けたことを特徴とする請求項１または請求項２に記載の洗面ボウル付きカウンター。
【請求項４】
前記カウンターの後部上方に水平なトップカウンターが設けられ、該トップカウンターの前端から下向きの下面部が、前記カウンターの上面に対し９０°の角度で該カウンターに接続されていることを特徴とする請求項１乃至請求項３何れかに記載の洗面ボウル付きカウンター。
【請求項５】
少なくとも前記カウンターの上面には撥水コーティング或いは滑水コーティングが施されていることを特徴とする請求項１乃至請求項４何れかに記載の洗面ボウル付きカウンター。
【請求項６】
前記カウンターの上面に、上面が略水平面をなす小物置きを設けたことを特徴とする請求項１乃至請求項５何れかに記載の洗面ボウル付きカウンター。
【発明の詳細な説明】
【技術分野】
【０００１】
本発明は、洗面ボウル付きカウンターに関するものである。
【背景技術】
【０００２】
従来、特許文献１に開示されているような洗面台が存在する。
この洗面台では、カウンターを前側へ傾斜させて前端に堰を設け、カウンターの下方側から洗面ボウルを取り付けた構造となっている。
【先行技術文献】
【特許文献】
【０００３】
【特許文献１】実開昭５３−４９５４４号公報
【発明の概要】
【発明が解決しようとする課題】
【０００４】
上記特許文献１に開示されている洗面台では、カウンターの堰の形状や洗面ボウル周辺の取付部分等が複雑な凹凸形状となっており、デザイン性に乏しいという問題点があり、また、複雑な凹凸形状であるため、堰の部分等に汚れが生じやすいという問題点があった。
また、水栓を取り付けるための立ち面は洗面ボウルには形成されていないものであり、水栓を取り付けると更に意匠性が悪くなるという問題点があった。
【課題を解決するための手段】
【０００５】
本発明は、すっきりとした意匠性を呈し、水の飛散が防げるとともに、飛散しても水滴を良好に洗面ボウルへ排出させることができて、汚れが目立ちにくい洗面ボウル付きカウンターの提供を目的とし、この目的の少なくとも一部を達成するために以下の手段を採った。
本発明は、下方へ向かって凹状に洗面ボウルを備えたカウンターにおいて、
該カウンターの上面を前側に向かって下り勾配に傾斜させ、該カウンターの上面の前記洗面ボウルよりも前方に堰を設けるとともに、前記洗面ボウル内の後方側であって後方側へ下傾状をなす立ち面に自動水栓の吐水口を取り付け、
かつ、前記立ち面は、その下端から後方へ向かって凹状をなすように連続する凹状空間が設けられていることを要旨とする。
【発明の効果】
【０００６】
本発明の洗面ボウル付きカウンターでは、カウンターの上面が傾斜しており、前側に立つ使用者から見た場合、洗面ボウルの露出部分が多く、洗面ボウルを広く見せることができ、全体としてすっきりとした意匠性を呈し、使用者が手を洗う際に洗面ボウル内に手を入れ易いものとなる。
また、洗面ボウルは後方側へ向かって深くなり、後方側に立ち面があり、立ち面に自動水栓の吐水口を取り付けたものであるため、洗面時等に水の飛散を防ぐことができる。仮に、飛散しても、水滴は傾斜状のカウンター上を流れ伝わり、前端側の堰で堰き止められるため、カウンター上面には水滴が残らず、汚れが付きにくく、常に乾いた清潔感を与えることができる。
さらに、本発明の洗面ボウル付きカウンターにおいて、前記洗面ボウル内には、前記立ち面に連続して立ち面からさらに後方へ向かって凹状をなす凹状空間が形成されている。
このような構成であれば、洗面や手洗い時に手を洗面ボウル内の後方奥側へ差し出しても、手が凹状空間内に入り、指の先端が当たることがなく、広い空間内で手を動かして洗面や手洗いを良好に行うことができるものとなる。また、自動水栓の吐水口に前傾斜がつくことで吐水口取り付け面への水伝いが少なく、水切れを良くできる。
【０００７】
また、本発明の洗面ボウル付きカウンターにおいて、前記堰は、前記洗面ボウルに向かって水を誘導する形状に形成されているものとすることもできる。
こうすれば、飛散した水滴がカウンター上を流れ伝わり、堰に誘導されて良好に洗面ボウル部内に水滴が排出されるため、より清潔感が得られて、汚れが目立たないものとなる。
【０００８】
また、本発明の洗面ボウル付きカウンターにおいて、前記カウンターの前端下面に下向きに取り付けられる前板を、前記カウンターの上面に対し９０°の角度で取り付けたものとすることもできる。
こうすれば、９０°の角度で前板を取り付けることができるため、作りやすく、製造性が向上し、かつ強度も確保することができるものとなり、また、設置状態では、前板が後方側へ下傾状に傾斜するために、この前板の前にキャリーバック等の荷物を置くことができ、キャリーバック越しに使用者は洗面ボウル内で洗面や手洗いを行うことができ、キャリーバック等の荷物に水がかかりにくく、また、防犯上も安心して洗面や手洗いができるものとなる。
【００１０】
また、本発明の洗面ボウル付きカウンターにおいて、前記カウンターの後部上方に水平なトップカウンターが設けられ、該トップカウンターの前端から下向きの下面部が、前記カウンターの上面に対し９０°の角度で該カウンターに接続されているものとすることもできる。
こうすれば、トップカウンターには水滴の飛散がないために、この乾いたトップカウンター上に荷物を置くことができ、使用勝手が良好なものとなり、また、トップカウンターの前端からカウンターに下向きに延びる下面部がカウンターの上面に対し９０°の角度をなしているため、カウンターおよび下面部の製造が容易となり、強度も確保することができるものとなる。
【００１１】
また、本発明の洗面ボウル付きカウンターにおいて、少なくとも前記カウンターの上面には撥水コーティング或いは滑水コーティングが施されているものとすることもできる。
こうすれば、撥水あるいは滑水処理されたカウンター上面の汚れを拭き取りやすくなり、カウンター上に水が飛散しても水滴が良好に流れ下り、洗面ボウル部へ排出されるために、カウンターが乾きやすく、より良好な清潔感が得られるものとなる。
【００１２】
また、本発明の洗面ボウル付きカウンターにおいて、前記カウンターの上面に、上面が略水平面をなす小物置きを設けたものとすることもできる。
こうすれば、手洗いや洗面時に、コンタクト等の小物を良好に小物置きに載せておくことができ、使用勝手が良好なものとなる。
【図面の簡単な説明】
【００１３】
【図１】洗面ボウル付きカウンターを備えた洗面台の全体斜視図である。
【図２】洗面ボウル付きカウンターを備えた洗面台の設置状態の側面図である。
【図３】洗面ボウル付きカウンターを備えた洗面台の前板を開けた状態の側面図である。
【図４】第１実施例の洗面ボウル付きカウンターの平面構成図である。
【図５】第１実施例の洗面ボウル付きカウンターの正面構成図である。
【図６】図５のＡ−Ａ線断面図である。
【図７】図５のＢ−Ｂ線断面図である。
【図８】第２実施例の洗面ボウル付きカウンターの平面構成図である。
【図９】第２実施例の洗面ボウル付きカウンターの正面構成図である。
【図１０】図９のＡ−Ａ線断面図である。
【図１１】図９のＢ−Ｂ線断面図である。
【図１２】洗面台の前板の前にキャリーバックを置いて洗面を行っている状態の使用状態側面図である。
【図１３】カウンターの堰に傘を引っ掛けて洗面を行っている状態の使用状態側面図である。
【図１４】従来の洗面台において、前板の前にキャリーバックを置き、傘を引っ掛けて、洗面を行う状態の側面図である。
【図１５】カウンター上面に小物置きを設けた洗面台の全体斜視図である。
【図１６】堰の形状を変更した洗面ボウル付きカウンターの断面図である。
【図１７】堰の形状を変更した洗面ボウル付きカウンターの断面図である。
【発明を実施するための形態】
【００１４】
次に、本発明を実施するための形態を実施例を用いて説明する。
【実施例１】
【００１５】
図１は、洗面ボウル付きカウンターを備えた洗面台の全体斜視図であり、図２は、この洗面台の設置状態の側面図である。また、図３は、洗面台における前板を開けた状態の側面図である。
【００１６】
図において、洗面台１は、キャビネット２上にカウンター３が設置され、このカウンター３には、下方へ向かって凹状に洗面ボウル４が一体形成されている（別体の洗面ボウル４をカウンター３に取り付けるタイプであっても良い）。
カウンター３の上面３ａは、壁面Ｗとは反対側の前側に向かって下り勾配に傾斜されており、カウンター３の上面３ａの前端には、上方へ一体状に立ち上げて堰５が形成されている。
また、カウンター３の上面３ａには、洗面ボウル４の後端側から立ち上げて下面部６が一体形成されており、下面部６の下端から後方側へ延びて延出部７が一体形成されている。
【００１７】
この下面部６の上端と壁面Ｗ間には、別体のトップカウンター８が水平に設置されるものである。
下面部６は、カウンター３の上面３ａに対し９０°の角度で一体形成されている。即ち、トップカウンター８の前端から後方（壁面Ｗ）側へ向かって下傾状に下面部６が形成されている。
また、洗面ボウル４の底側には排水口４ａが形成されており、この排水口４ａよりも後方側の洗面ボウル４内には、下面部６と連続して後方側へ下傾状をなす立ち面４ｂが形成されており、この立ち面４ｂの上部部位に自動水栓の吐水口９が取り付けられている。また、立ち面４ｂの下方の洗面ボウル４内に、自動水栓の吐水口９の取り付け位置よりも更に後方側へ凹状をなす凹状空間４ｃが形成されている。
【００１８】
なお、キャビネット２は、図３に示すように、縦フレーム２ａと横フレーム２ｂとを備え、横フレーム２ｂの前端から縦フレーム２ａに向かって後方側へ下傾状に前傾斜フレーム２ｃが設けられており、また、横フレーム２ｂの後部には、立ち上げ状に後部立上フレーム２ｄが設けられ、この後部立上フレーム２ｄの上端から前傾斜フレーム２ｃの前端に向かって前方へ下傾状に上傾斜フレーム２ｅが設けられている。即ち、この上傾斜フレーム２ｅ上に桟木１２を介してカウンター３が傾斜状に取り付けられるものである。
【００１９】
また、前傾斜フレーム２ｃの前面には前板１０が取り付けられ、前板１０は、閉じた状態では、カウンターの上面３ａに対し９０°の角度でカウンター３の前端下面から下向きに配置される。この前板１０の下方の縦フレーム２ａの下端側にはケコミ板１１が取り付けられる。
なお、前板１０の裏面下端側には、前傾斜フレーム２ｃの下部に設けられたピン１３に係合される回動金具１４が設けられ、回動金具１４を介して前板１０の上端側が前方側へ開閉できるように構成されており、さらに、前板１０の上端側は、前傾斜フレーム２ｃに対し着脱金具１５を介して着脱できるように構成されている。
【００２０】
即ち、図３に示すように、前板１０の上端側は開くことができ、キャビネット２内に設けられている図示しない水石鹸タンク内へ水石鹸を供給する時に、前板１０の上端を１０°程度、開口させることができる。
また、キャビネット２内に収納されている図示しない水石鹸装置や電気温水器などのメンテナンスを行う時には、ピン１３から回動金具１４を取り外して、前板１０全体を取り外してメンテナンスできるように構成されている。
【００２１】
なお、カウンター３の上面３ａおよび洗面ボウル４の内周には、シリコン被膜あるいはフッ素樹脂被膜等の撥水コーティングが施されている。なお、撥水コーティングに代えて滑水性コーティングを施す場合もある。
【００２２】
洗面ボウル付きカウンター３の第１実施例の詳細は図４〜図７に示す。
即ち、洗面ボウル付きカウンターの平面図を図４に示し、正面図を図５に示す。また、図６では、図５のＡ−Ａ線断面を示し、図７では、図５のＢ−Ｂ線断面を示す。
図では、カウンター３に１個の洗面ボウル４が一体形成されたものを例示しているが、洗面ボウル４は、長尺のカウンター３の長手方向に沿って複数個、間隔をおいて列設されたものであっても良い。
【００２３】
前述した如く、カウンター３の上面３ａには、下向きに凹ませて洗面ボウル４が一体形成されており、上面３ａの前端の洗面ボウル４の前側には、横方向全域に亘り平面視横長状に堰５が上方へ一体状に立ち上げ形成されており、上面３ａの後端側には、上面３ａに対し９０°の角度をなして下面部６が一体形成されており、上面３ａから連続して下面部６の下端から後方側へ延びて延出部７が一体形成されている。
【００２４】
堰５は、その上面が、後方から前方側へ向かって上傾する傾斜上面５ａとなっており、この傾斜上面５ａの前後寸法は、堰５の左右両端側で図７のＢ−Ｂ線断面で示すように長くなっており、洗面ボウル４の中央側に向かって徐々に前後寸法が短くなり、図６のＡ−Ａ線断面で示すように、洗面ボウル４の部分では、この傾斜上面５ａの後端（洗面ボウル４の前端よりも後方に位置する部分）に、下向きに前方側へ傾斜する誘導傾面５ｂが洗面ボウル４へ連続して形成されている。
そのため、平面視すると、傾斜上面５ａの後端縁（傾斜上面５ａの洗面ボウル４側）は、洗面ボウル４の中央部からカウンター３の左右両端側に向かって徐々に前後寸法が広くなるように湾曲した湾曲傾斜面５ｃとなっている。
【００２５】
このような堰５の形状により、カウンター３の上面３ａに飛散した水滴がカウンター上面３ａの傾斜に沿って前方側へ流れ落ちて、堰５の傾斜上面５ａで受け止められ、湾曲傾斜面５ｃに沿って洗面ボウル４側へ集められ、誘導傾面５ｂを伝って良好に水滴が洗面ボウル４内に流れ落ちることとなる。
【００２６】
また、洗面ボウル４内は、前側から後方側に向かって緩やかに下傾し、底面側から後方側に向かって後方へ湾曲して凹状空間４ｃが形成され、凹状空間４ｃの上端は、下面部６と連続した立ち面４ｂとなっており、この立ち面４ｂに自動水栓の吐水口９を取り付ける水栓取付孔４ｄ，４ｄが形成され、更にその上方に水石鹸吐出管取付孔４ｅ，４ｅが形成されている。
【００２７】
なお、凹状空間４ｃは、自動水栓の吐水口９の取り付け位置よりも更に後方側へ向かって凹状の空間となっているため、前方側から使用者が手を洗面ボウル４内に差し込んで手洗い等を行う際に、手の先端が深く後方側まで入り込み、指が当接することはなく、この広い凹状空間４ｃ内で良好に手洗いすることができるものとなる。
このように、凹状空間４ｃおよび立ち面４ｂの部分、即ち洗面ボウル４内の後部が深く形成されているため、自動水栓の吐水口９から吐出される水で手洗い等を行う際の水の飛散が少ないものとなり、水は洗面ボウル４内から外側へ飛散することが少なくなる。
また、下面部６と連続した立ち面４ｂは、カウンター３の上面３ａに対し９０°の角度をなして後方側に向かって下傾しており、自動水栓の吐水口９が取り付けられた状態では、自動水栓の吐水口９に前傾斜がつくことで、吐水口９から取り付け面への水伝いが少なく、水切れが良くなる。
【００２８】
なお、カウンター３の上面３ａ上に水が飛散した場合でも、前述した如く、上面３ａは前方側へ向かって下傾状に傾斜しており、更にカウンター３の上面３ａには撥水コーティングが施されているため、良好に上面３ａを伝って前方側へ水滴が流れ落ち、前述した如く堰５で止められて、水滴は、堰５の湾曲傾斜面５ｃおよび誘導傾面５ｂにより良好に洗面ボウル４内に誘導されて排水されるものであり、カウンター３の上面３ａには水滴が付着することがなく、カウンター３の上面３ａを常に乾いた清潔な状態に保持できるものとなる。
【００２９】
なお、使用者が前方側から見た時に、カウンター３の上面３ａは傾斜しており、洗面ボウル４の上面の開口部分は広く視認されるため、洗面ボウル４を広く見せることができ、全体の意匠性が向上したものとなる。また、使用者が手を洗う際に洗面ボウル４内に手を入れ易いものとなる。
【実施例２】
【００３０】
次に、第２実施例の洗面ボウル付きカウンターを図８の平面図、図９の正面図で示す。また、図１０は、図９のＡ−Ａ断面を示し、図１１は、図９のＢ−Ｂ断面を示す。
この図８〜図１１に示す第２実施例の洗面ボウル付きカウンター３では、洗面ボウル４が楕円形ではなく方形状に形成されたものであり、この洗面ボウル４の前端側にカウンター３の上面３ａから立ち上げ形成されている堰５は、その洗面ボウル４側に、洗面ボウル４の中央部から左右両端側に向かって徐々に傾斜上面５ａの前後寸法が広くなるように湾曲した湾曲傾斜面５ｃを有し、カウンター３の上面３ａを伝い落ちる水滴をこの湾曲傾斜面５ｃに沿って洗面ボウル４内に誘導させて排出できるものである。
【００３１】
また、堰５は、図１１に示すように、左右端側では傾斜上面５ａの前後寸法は長くなっており、洗面ボウル４の中央付近では、図１０に示すように、傾斜上面５ａの前後寸法は狭くなっており、洗面ボウル４の部分では、この傾斜上面５ａの後端（洗面ボウル４の前端よりも後方に位置する部分）に、下向きに前方側へ傾斜する誘導傾面５ｂが洗面ボウル４へ連続して形成されている。
このような方形状の洗面ボウル４では、洗面ボウル４を広く見せることができ、広い洗面空間を得ることができ、しかも、カウンター３の上面３ａに飛散した水滴を良好に洗面ボウル４内に回収できて、カウンター３の上面３ａを常に乾いた状態に保持できるものとなる。
【００３２】
本発明の洗面ボウル付きカウンター３を取り付けた洗面台１では、水が飛散することのない上方の水平なトップカウンター８上に、手持ちの荷物を置きやすく、大きな荷物を持ち運ぶ機会の多い駅やデパートなどの洗面所に最適なものとなり、また、キャリーバック１７等の荷物は、図１２に示すように、前板１０の前に置き、キャリーバック１７越しに洗面ボウル４内で洗面や手洗いを行うことができ、キャリーバック１７などの荷物に水がかかりにくいものとなり、また、防犯上も安心して洗面や手洗いができるものとなる。
【００３３】
さらに図１３に示すように、傘１８の柄を堰５に掛けて、傘１８を前板１０に沿わせて保持しておくことができ、前板１０は傾斜しているため長い寸法の傘１８を良好に収納することができ、傘１８が邪魔にならず、良好に洗面や手洗いを行えるものとなる。
なお、図１４には、比較のために、カウンター３の上面３ａおよび前板１０の傾斜していない洗面台の使用状態を示す。
【００３４】
さらに、図１５に示すものは、別体または一体の小物置き１９をカウンター３の上面３ａに設置したものであり、この小物置き１９は、その上面が水平な面となっており、この小物置き１９上にコンタクト，コップ等の小物を置いて、洗面ボウル４内で洗面等を良好に行うことができ、使用勝手が良好なものとなる。
なお、小物置き１９は着脱可能に構成して、上面３ａの適宜位置に接着等で取り付けできるように構成しておくことができる。
【００３５】
なお、堰５は、図１６や図１７に示すような形状にしても良い。
図１６に示す堰５は、カウンター３の上面３ａ前端に９０°の角度で立上部５ｃを形成し、立上部５ｃの上端後面に後方へ突出する後向き突部５ｄを一体形成したものである。
また、図１７に示す堰５は、カウンター３の上面３ａ前端に９０°の角度で立上部５ｃを形成したものである。何れの場合も、カウンター３の上面３ａを伝い落ちる水滴が堰５を越えてしまうことを防止できるものである。
【符号の説明】
【００３６】
１  洗面台
２  キャビネット
３  カウンター
３ａ  上面
４  洗面ボウル
４ａ  排水口
４ｂ  立ち面
４ｃ  凹状空間
５  堰
５ａ  傾斜上面
５ｂ  誘導傾面
５ｃ  湾曲傾斜面
６  下面部
８  トップカウンター
９  自動水栓の吐水口
１０  前板
１９  小物置き
Ｗ  壁面
【図１】
0005889560.tif 000002
【図２】
0005889560.tif 000003
【図３】
0005889560.tif 000004
【図４】
0005889560.tif 000005
【図５】
0005889560.tif 000006
【図６】
0005889560.tif 000007
【図７】
0005889560.tif 000008
【図８】
0005889560.tif 000009
【図９】
0005889560.tif 000010
【図１０】
0005889560.tif 000011
【図１１】
0005889560.tif 000012
【図１２】
0005889560.tif 000013
【図１３】
0005889560.tif 000014
【図１４】
0005889560.tif 000015
【図１５】
0005889560.tif 000016
【図１６】
0005889560.tif 000017
【図１７】
0005889560.tif 000018